(57)【要約】【課題】雨水の侵入等を効率的に防止し、コードをコンパクトに収納する。【解決手段】屋外で電源コード１４等を１又は複数本の他のコード２７に接続するコンセント４を備えたコンセントボックス１である。コンセント４を支持する本体部２と、この本体部２を覆うカバー部３とからなり、本体部２は、周囲から隆起させて形成されてコンセント４を支持する台座６を備える。本体部２はカバー部３にコード巻き取り爪１７を設けた。カバー部３の周辺壁２３は、台座６の周囲を覆った状態で台座６との間に隙間２６を有すると共に、周辺壁２３の下端部が台座６の上面よりも下方に位置するようにした。【選択図】　　図１
2004129423.tif 000002
【特許請求の範囲】
【請求項１】
屋外でコードを他の１又は複数本のコードに接続するコンセントを備えたコンセントボックスにおいて、
上記コンセントを支持する本体部と、当該本体部を覆うカバー部とを備え、
上記本体部が、周囲から隆起させて形成されて上記コンセントを支持する台座を備え、
上記カバー部の周辺壁が上記台座の周囲を覆った状態で当該台座との間に隙間を有すると共に上記周辺壁の下端部が上記台座の上面よりも下方に位置することを特徴とするコンセントボックス。
【請求項２】
屋外でコードを他の１又は複数本のコードに接続するコンセントを備えたコンセントボックスにおいて、
上記コンセントを支持する本体部と、当該本体部を覆うカバー部とを備え、
上記本体部が、周囲から隆起させて形成されて上記コンセントを支持する台座を備え、
上記本体部又はカバー部にコード巻き取り爪を設けたことを特徴とするコンセントボックス。
【請求項３】
屋外でコードを他の１又は複数本のコードに接続するコンセントを備えたコンセントボックスにおいて、
上記コンセントを支持する本体部と、当該本体部を覆うカバー部とを備え、
上記本体部が、周囲から隆起させて形成されて上記コンセントを支持する台座を備えると共に上記本体部又はカバー部にコード巻き取り爪を設け、
上記カバー部の周辺壁が上記台座の周囲を覆った状態で当該台座との間に隙間を有すると共に上記周辺壁の下端部が上記台座の上面よりも下方に位置することを特徴とするコンセントボックス。
【発明の詳細な説明】
【０００１】
【発明の属する技術分野】
この発明は、電源コード等と屋外の照明機器等の他の複数本のコードとを接続して分配したり、１本の電源コードを接続して延長コードとして使用したりするためのコンセントを備えたコンセントボックスに関するものである。
【０００２】
【従来の技術】
屋外において電源コード等を配線する場合において、コードの巻き取り部や接続部等を雨水等から保護する手段としては、そのコードの巻き取り部や接続部等をケース等で覆って保護するのが一般的である。
【０００３】
このような保護手段の例としては、特許文献１のコード巻き具がある。このコード巻き具は、皿状の２枚の収納部構成体を互いに合わせて収納空間を形成し、その内部にリールを納め、両側に設けられたコード挿通穴からコードを引き出している。
【０００４】
【特許文献１】
特開２０００−２５２６４８号公報
【０００５】
【発明が解決しようとする課題】
しかしながら、上記構成のコード巻き具の場合、コードをコンパクトに収納できる点で優れているが、屋外で使用する場合、コード挿通穴から雨水が侵入してしまうという問題点がある。
【０００６】
本発明は、上述の点に鑑みてなされたもので、雨水の侵入等を効率的に防止できるコンセントボックスを提供することを目的とする。
【０００７】
【課題を解決するための手段】
前述した課題を解決するために第１の発明に係るコンセントボックスは、屋外でコードを他の１又は複数本のコードに接続するコンセントを備えたコンセントボックスにおいて、上記コンセントを支持する本体部と、当該本体部を覆うカバー部とを備え、上記本体部が、周囲から隆起させて形成されて上記コンセントを支持する台座を備え、上記カバー部の周辺壁が上記台座の周囲を覆った状態で当該台座との間に隙間を有すると共に上記周辺壁の下端部が上記台座の上面よりも下方に位置することを特徴とする。
【０００８】
上記構成により、コンセントを支持する台座を周囲から隆起させて形成し、カバー部の周辺壁が台座との間に隙間を有すると共に周辺壁の下端部が台座の上面よりも下方に位置するようにしたので、カバー部が邪魔になることなくコードを引き出すことができると共に、防水機能を果たすことができる。即ち、カバー部の周辺壁と台座との間に隙間があるため、コードを接続するときに、カバー部が邪魔になることがなくなる。また、コンセントボックスを地面に設置した場合に、周囲に水が溜まっても、カバー部内においては、水面は周辺壁の下端部までしか上昇せず、コンセントが浸水するのを防止できる。例えば、雨等により地面に水が溜まって、コンセントボックスが浸水しても、カバー部内においては、水面は周辺壁の下端部までしか上昇せず、コンセントが浸水するのを防止できる。
【０００９】
第２の発明に係るコンセントボックスは、屋外でコードを他の１又は複数本のコードに接続するコンセントを備えたコンセントボックスにおいて、上記コンセントを支持する本体部と、当該本体部を覆うカバー部とを備え、上記本体部が、周囲から隆起させて形成されて上記コンセントを支持する台座を備え、上記本体部又はカバー部にコード巻き取り爪を設けたことを特徴とする。
【００１０】
上記構成により、コンセントボックスを保管しておくときは、コードをコード巻き取り爪に巻き取っておく。これにより、コードをコンパクトに収納できる。
【００１１】
第３の発明に係るコンセントボックスは、屋外でコードを他の１又は複数本のコードに接続するコンセントを備えたコンセントボックスにおいて、上記コンセントを支持する本体部と、当該本体部を覆うカバー部とを備え、上記本体部が、周囲から隆起させて形成されて上記コンセントを支持する台座を備えると共に上記本体部又はカバー部にコード巻き取り爪を設け、上記カバー部の周辺壁が上記台座の周囲を覆った状態で当該台座との間に隙間を有すると共に上記周辺壁の下端部が上記台座の上面よりも下方に位置することを特徴とする。
【００１２】
上記構成により、第１の発明と同様に、コードを配線するときに、カバー部が邪魔になることがなくなると共に、コンセントが浸水するのを防止できる。また、第２の発明と同様に、コンセントボックスを、コードがはみ出すことなく、コンパクトに収納できる。
【００１３】
【発明の実施の形態】
以下、本発明に係るコンセントボックスについて、図面を参照しながら説明する。コンセントボックスは、屋外で１本のコードを１又は複数本のコードに接続するためのものであるが、上記コードとして、ここでは電源コードを例に説明する。
【００１４】
図１は本実施形態に係るコンセントボックスをそのカバー部を外した状態で示す分解斜視図、図２は本実施形態に係るコンセントボックスの本体部の底面を示す斜視図、図３は本実施形態に係るコンセントボックスを示す正面断面図、図４は本実施形態に係るコンセントボックスの本体部を示す正面図、図５は本実施形態に係るコンセントボックスの本体部を示す平面図、図６は本実施形態に係るコンセントボックスのカバー部を示す底面図、図７は本実施形態に係るコンセントボックスのカバー部を示す正面断面図、図８は本実施形態に係るコンセントボックスのコンセントを示す平面図、図９は本実施形態に係るコンセントボックスのコンセントを示す正面図、図１０は本実施形態に係るコンセントボックスのコンセントを示す側面図である。
【００１５】
コンセントボックス１は、本体部２と、カバー部３と、コンセント４とから構成されている。
【００１６】
本体部２は、コンセント４を支持するための部材である。本体部２は、図１〜図５に示すように、台座６と、コード収納部７と、固定板８と、支持筒９と、支持片１０と、コンセント支持片１１とから構成されている。
【００１７】
台座６は、コンセント４を支持する部分である。この台座６は、周囲から隆起させて形成されている。これは、コンセント４を地面よりも高い位置で支持するためである。台座６の中央には、後述するコンセント４の分配部２９を支持する支持台１３が設けられている。この支持台１３は、後述するコンセント４の連結部３０と分配部２９との高さを合わせるための部分である。台座６の高さは、設置場所、コード収納部７の大きさ等の諸条件に応じて設定される。台座６の正面には、電源コード１４を通すための切り欠き１５が設けられている。
【００１８】
コード収納部７は、電源コード１４を収納するためのスペースである。このコード収納部７は、台座６の裏面空間を利用して構成されている。コード収納部７内には、長手方向両側の対向する位置に２つのコード巻き取り爪１７が設けられている。このコード巻き取り爪１７は、電源コード１４が直接に巻き取られる立て板部１８と、巻き取られた電源コード１４が下方へずれないように支持する水平板部１９とから構成されている。
【００１９】
固定板８は、本体部２を地面等に固定するための部材である。固定板８は台座６の両側に４枚設けられている。固定板８は、台座６の両側から水平に延出された板材によって構成されている。固定板８の中央には、ペグ等を通すための固定穴２０が設けられている。
【００２０】
支持筒９は、カバー部３を支持するための部材である。この支持筒９は、台座６の上面の６カ所に設けられている。各支持筒９は、その上端部が同じ高さになるように形成され、カバー部３を水平に支持するようになっている。各支持筒９の高さは、この支持筒９によって支持されるカバー部３の周辺壁２３の下端部が台座６の上面よりも下方に位置するように設定されている。
【００２１】
支持片１０は、カバー部３が本体部２に対して着脱されるときに、そのカバー部３の着脱動作を案内するための部材である。支持片１０は、三角形の板材を直角に合わせた形状に構成され、台座６の四隅の支持筒９の外側にそれぞれ設けられている。
【００２２】
コンセント支持片１１は、後述するコンセント４の連結部３０を支持してコンセント４を台座６に固定するための部材である。コンセント支持片１１は、連結部３０を弾性的に挟んで支持する２枚の板材で構成されている。コンセント支持片１１は、支持台１３の上面に４つ設けられ、各連結部３０をそれぞれ支持するようになっている。
【００２３】
カバー部３は本体部２を覆って保護するための部材である。カバー部３は、図１、３、６、７に示すように、天板２２と、周辺壁２３と、支持用突起２４とから構成されている。
【００２４】
天板２２は本体部２の上部を覆う部材である。天板２２は本体部２よりも広く形成されている。これは、周辺壁２３と台座６との間に隙間２６を設けるためである。
【００２５】
周辺壁２３は、本体部２の台座６の周囲を覆うための部材である。この周辺壁２３は、天板２２の周縁から下方へ垂らして構成され、台座６の周囲を覆っている。天板２２は本体部２よりも広く形成されているため、周辺壁２３と台座６との間には隙間２６を有している。この隙間２６は、各コード１４、２７を外部に引き出すためのものである。さらに、周辺壁２３の下端部は、本体部２の台座６の上面よりも下方に位置するように構成されている。これは、各コード１４、２７を引き出すための隙間２６を備えた状態で、雨水がコンセントボックス１の内部に降り込まないようにすると共に、地面に水が溜まった場合でも、コンセント４が浸水しないようにするためである。なお、地面に水が溜って水かさが増えてくると、本体部２もカバー部３も水に浸ってしまうが、カバー部３は皿を反転させた状態になっているので、カバー部３の内部においては水面は周辺壁２３の下端部までしか上昇せず、本体部２の台座６のコンセント４が浸水することはない。さらに、周辺壁２３の下端部は、雨を避ける庇のように、末広がりに外側へ広げられて形成されている。
【００２６】
支持用突起２４は、本体部２の支持筒９に嵌合してカバー部３を本体部２に固定するための部材である。支持用突起２４は、天板２２の下側面に下方へ突出させて形成されている。支持用突起２４は、平面形状が十字状に形成され、本体部２の支持筒９の内径と同じ寸法に設定されている。支持用突起２４の平面形状を十字状に形成するのは、カバー部３を本体部２に対して確実に取り付けると共に容易に着脱できるようにするためである。即ち、平面十字状の支持用突起２４が支持筒９の内周面に確実に当接して、カバー部３を本体部２にぐらつくことなく確実に支持する。さらに、支持用突起２４を平面十字状にすることで、支持筒９の内周面との接触面積を小さくして摩擦を減らし、支持用突起２４を支持筒９に対して容易に着脱できるようにする。支持用突起２４は、天板２２の下側面において、本体部２の支持筒９に対向する位置に６個設けられている。
【００２７】
コンセント４は、１本の電源コード１４を１又は複数本の他のコード２７に接続するための部材である。このコンセント４は、図８〜図１０に示すように、分配部２９と、連結部３０とから構成されている。分配部２９は、電源コード１４を４つに分配するための部材である。この分配部２９には、電源コード１４と、４つの連結部３０とがそれぞれ接続される。電源コード１４は、分配部２９に接続された状態で、台座６の切り欠き１５を通して外部に引き出される。連結部３０は、他のコード２７のプラグ（図示せず）を差し込んで、電源コード１４と他のコード２７とを連結するための部材である。なお、他のコード２７としては、照明機器等の電源コードや延長コードなどである。延長コードの場合は、４つの連結部３０のうちの１つにだけ接続される。
【００２８】
連結部３０は、可撓性を有する支持棒３２と、この支持棒３２の先端に設けられてプラグが差し込まれる二つ穴を有するプラグ受け３３とから構成されている。プラグ受け３３には開閉蓋３４が設けられ、使用しない場合は閉じておく。連結部３０の個数は、他のコード２７の本数に合わせて適宜設定される。
【００２９】
コンセント４は、各連結部３０の支持棒３２が本体部２のコンセント支持片１１に嵌合されて本体部２の台座６に固定される。
【００３０】
［動作］
以上のように構成されたコンセントボックスは、次のようにして使用される。
【００３１】
コード収納部７のコード巻き取り爪１７に巻き取られた電源コード１４を外して延ばす。この電源コード１４の端部のプラグを電源に差し込む。次いで、電源コード１４を延長して、コンセントボックス１を屋外の所望の位置に設置する。このコンセントボックス１の本体部２は、その固定板８の固定穴２０にペグ（図示せず）が通され、このペグが地面等に打ち込まれて固定される。
【００３２】
次いで、カバー部３を外して、他のコード２７の先端のプラグを連結部３０のプラグ受け３３に差し込んで接続する。他のコード２７は隙間２６を通して外部に引き出される。延長コードとして使用する場合は、電源コードとしての他のコード２７が１本だけ接続される。
【００３３】
次いで、カバー部３の支持用突起２４を本体部２の支持筒９に押し込んで、カバー部３を本体部２に固定する。
【００３４】
これで、接続が終了する。
【００３５】
コンセントボックス１は、雨が降ったり水がまかれたりすると、水に濡れてしまう。このとき、水がかかっても、その水はカバー部３の天板２２及び周辺壁２３で遮られ、コンセント４が濡れることはない。
【００３６】
さらに、地面に水が溜って水かさが増えてくると、本体部２もカバー部３も水に浸ってしまう。このとき、皿を反転させた状態のカバー部３は、水没してもカバー部３の内部においては、水面は周辺壁２３の下端部までしか上昇しない。これにより、本体部２の台座６のコンセント４が浸水することはない。
【００３７】
［効果］
以上のように、コンセント４が支持された台座６を周囲から隆起させて地上から一定高さになるように形成し、カバー部３の周辺壁２３と台座６との間に隙間２６を形成すると共に、周辺壁２３の下端部が台座６の上面よりも下方に位置するようにしたので、カバー部３が邪魔になることなく電源コード１４等を引き出すことができると共に、防水機能を果たすことができる。
【００３８】
雨等により地面に水が溜まって、コンセントボックス１が浸水しても、カバー部３内においては水面は周辺壁２３の下端部までしか上昇せず、コンセント４が浸水するのを防止できる。
【００３９】
コンセントボックス１を保管しておくときは、電源コード１４をコード巻き取り爪１７に巻き取って、コンパクトに収納することができる。
【００４０】
［変形例］
（１）　上記実施形態では、コード巻き取り爪１７を台座６のコード収納部７に設けたが、他の部分に設けてもよい。電源コード１４を巻き取ることができる空間が確保できればよいため、本体部２及びカバー部３の各面に設けることができる。具体例を図１１及び図１２に示す。なお、図１１及び図１２は、本体部２及びカバー部３の両方を含む概念として、概略的な箱体で表現している。
【００４１】
図１１に示すように、コード巻き取り爪１７を、浅い皿状の本体部２又はカバー部３の天板部分の上側面又は４つの側面に設けてもよい。この場合、本体部２の台座６の上側面にはコンセント４が取り付けられるので、カバー部３との兼ね合いで、電源コード１４を巻き取るスペースがあればその部分に設けてもよい。４つの側面においても、隙間２６を十分にとれれば、その部分に設けてもよい。
【００４２】
また、図１２に示すように、浅い皿状のカバー部３の天板部分の下側面や、本体部２又はカバー部３の周壁面に設けてもよい。カバー部３の天板部分の下側面の場合は、本体部２に取り付けられるコンセント４との間に空間的余裕があれば設ける。また、本体部２又はカバー部３の周壁面の場合は、本体部２又はカバー部３四隅の上下にそれぞれコード巻き取り爪４１を設けて、電源コード１４を巻き付ける。このとき、本体部２では、台座６の側面に巻き付けることになるが、この場合は、カバー部３との隙間２６を十分に空けておく必要がある。
【００４３】
（２）　上記実施形態では、電源コード１４を他のコード２７に接続場合を例に説明したが、信号コード等の他のコードでもよいことは言うまでもない。
【００４４】
（３）　上記実施形態では、隙間２６を及びコンセントボックス１の長手方向両側に設けたが、短手方向両側に設けてもよい。両方に設けてもよい。これによっても、上記実施形態同様の作用、効果を奏する。
【００４５】
【発明の効果】
以上、詳細に説明したように本発明によれば、次のような効果を奏することができる。
【００４６】
（１）　コンセントを支持する台座が周囲から隆起させて形成され、カバー部の周辺壁が台座の周囲を覆った状態で台座との間に隙間を有すると共に上記周辺壁の下端部が上記台座の上面よりも下方に位置するように構成したので、カバー部が邪魔になることなく電源コード等を外部に引き出すことができると共に、防水機能を果たすことができる。
【００４７】
水が溜まってコンセントボックスが浸水した場合でも、コンセントが浸水するのを防止できる。
【００４８】
（２）　本体部又はカバー部にコード巻き取り爪を設けたので、コンセントボックス１を保管しておくときは、電源コードをコード巻き取り爪に巻き取って、コンパクトに収納することができる。
【図面の簡単な説明】
【図１】本発明の実施形態に係るコンセントボックスをそのカバー部を外した状態で示す分解斜視図である。
【図２】本発明の実施形態に係るコンセントボックスの本体部の底面を示す斜視図である。
【図３】本発明の実施形態に係るコンセントボックスを示す正面断面図である。
【図４】本発明の実施形態に係るコンセントボックスの本体部を示す正面図である。
【図５】本発明の実施形態に係るコンセントボックスの本体部を示す平面図である。
【図６】本発明の実施形態に係るコンセントボックスのカバー部を示す底面図である。
【図７】本発明の実施形態に係るコンセントボックスのカバー部を示す正面断面図である。
【図８】本発明の実施形態に係るコンセントボックスのコンセントを示す平面図である。
【図９】本発明の実施形態に係るコンセントボックスのコンセントを示す正面図である。
【図１０】本発明の実施形態に係るコンセントボックスのコンセントを示す側面図である。
【図１１】本発明の第１変形例に係るコンセントボックスを示す斜視図である。
【図１２】本発明の第２変形例に係るコンセントボックスを示す斜視図である。
【符号の説明】
１：コンセントボックス、２：本体部、３：カバー部、４：コンセント、６：台座、７：コード収納部、８：固定板、９：支持筒、１０：支持片、１１：コンセント支持片１３：支持台、１４：電源コード、１５：切り欠き、１７：コード巻き取り爪、１８：立て板部、１９：水平板部、２０：固定穴、２２：天板、２３：周辺壁、２４：支持用突起、２６：隙間、２７：他のコード、２９：分配部、３０：連結部、３２：支持棒、３３：プラグ受け、３４：開閉蓋、４１：コード巻き取り爪。
【図１】
2004129423.tif 000003
【図２】
2004129423.tif 000004
【図３】
2004129423.tif 000005
【図４】
2004129423.tif 000006
【図５】
2004129423.tif 000007
【図６】
2004129423.tif 000008
【図７】
2004129423.tif 000009
【図８】
2004129423.tif 000010
【図９】
2004129423.tif 000011
【図１０】
2004129423.tif 000012
【図１１】
2004129423.tif 000013
【図１２】
2004129423.tif 000014